(57)【要約】【課題】回路規模や製造コストを低減した放電機能付きバランス回路を提供する。【解決手段】直流電源線ＶＨ，ＶＬの間で直列に接続されたコンデンサＣ１，Ｃ２の各々を放電する放電回路２ａ，２ｂが設けられている。バランス回路２は、コンデンサＣ１，Ｃ２の間の電位Ｖ４が所定値（直流電源線ＶＨ，ＶＬの間で直列に接続された抵抗Ｒ７，Ｒ８の間の電位Ｖ３）を下回ったときに、放電回路２ａによりコンデンサＣ１を放電させ、電位Ｖ４が所定値を超えたときに放電回路２ｂによりコンデンサＣ２を放電させる。電源停止検出回路３は、交流電源ＡＣからの交流の供給が停止されたことをもって、放電回路２ｂのみを用いてコンデンサＣ２のみを放電する。【選択図】図１
2008301623.tif 000002
【特許請求の範囲】
【請求項１】
所定の第１電位（Ｖ１）が供給される第１の直流電源線（ＶＨ）と、
前記第１電位よりも低い第２電位（Ｖ２）が供給される第２の直流電源線（ＶＬ）と、
前記第１の直流電源線と前記第２の直流電源線との間に接続された第１のコンデンサ（Ｃ１）と、
前記第２の直流電源線側で前記第１のコンデンサと直列に接続された第２のコンデンサ（Ｃ２）と、
前記第１のコンデンサを放電する第１の放電回路（２ａ）と、
前記第２のコンデンサを放電する第２の放電回路（２ｂ）と、
前記第１のコンデンサ及び前記第２のコンデンサの間の第３電位（Ｖ４）が所定値（Ｖ３）よりも小さいときに、前記第１の放電回路を用いて前記第１のコンデンサを放電し、前記第３電位が前記所定値よりも大きいときに、前記第２の放電回路を用いて前記第２のコンデンサを放電するバランス回路（２）と、
前記第１電位の供給が停止することを以って、前記第１の放電回路のみを用いて前記第１のコンデンサのみを放電する、若しくは前記第２の放電回路のみを用いて前記第２のコンデンサのみを放電する電源停止検出回路（３）と
を備える、放電機能付きバランス回路。
【請求項２】
前記バランス回路（２）は、
前記第１電位（Ｖ１）と前記第２電位（Ｖ２）を一定の比で内分した第４電位（Ｖ３）を前記所定値として供給する電位点（Ｐ）
を備える、請求項１に記載の放電機能付きバランス回路。
【請求項３】
前記第２の放電回路（２ｂ）は、一端が前記第１のコンデンサ（Ｃ１）及び前記第２のコンデンサ（Ｃ２）との間に接続され、制御端端子が前記電位点（Ｐ）と接続された第２のトランジスタ（Ｔｒ２）を備え、
前記バランス回路（２）は、前記第２のトランジスタの前記制御端子と前記電位点との間に接続され、前記第２のトランジスタから前記電位点へ向かう方向のみ電流を流す第２の整流素子（Ｄ６）を備え、
前記電源停止検出回路（３）は前記第２のトランジスタを導通させて前記第２のコンデンサのみを放電させる、請求項２に記載の放電機能付きバランス回路。
【請求項４】
前記第１の放電回路（２ａ）は、一端が前記第１のコンデンサ（Ｃ１）及び前記第２のコンデンサ（Ｃ２）との間に接続され、制御端子が前記電位点（Ｐ）と接続された第１のトランジスタ（Ｔｒ１）を備え、
前記バランス回路（２）は、前記第１のトランジスタの前記制御端子と前記電位点との間に接続され、前記電位点から前記第１のトランジスタへ向かう方向のみ電流を流す第１の整流素子（Ｄ５）を備え、
前記電源停止検出回路（３）は前記第１のトランジスタを導通させて前記第１のコンデンサのみを放電させる、請求項２に記載の放電機能付きバランス回路。
【発明の詳細な説明】
【技術分野】
【０００１】
本発明は、放電機能付きバランス回路に関する。
【背景技術】
【０００２】
特許文献１，２には、２つの直流電源線の間で相互に直列接続された２つのコンデンサが開示されている。そして、これら２つのコンデンサの各々に印加される両端電圧のバランスを取る技術が開示されている。
【０００３】
より具体的には、相互に直列接続された抵抗及びトランジスタの一組をそれぞれ２つのコンデンサに設け、２つのコンデンサの間の電位と基準電位との大小関係に基づいて、当該トランジスタを導通させている。当該トランジスタの導通により、何れかのコンデンサを放電させて、各コンデンサの両端電圧のバランスを維持している。
【０００４】
特許文献３には、２つの直流電源線の間に接続された一つのコンデンサと、直流電源線への電源供給が遮断されたときに当該コンデンサに蓄電された電荷を放電する放電回路とが開示されている。この放電回路は当該コンデンサに直列に接続された抵抗とトランジスタを備えており、トランジスタの導通により当該コンデンサを放電させている。
【０００５】
【特許文献１】特開平１０−２９５０８１号公報
【特許文献２】特開昭６３−３１４１３２号公報
【特許文献３】特開２００２−２６２５７３号公報
【発明の開示】
【発明が解決しようとする課題】
【０００６】
しかしながら、特許文献１，２に記載の技術では、直流電源線への電源供給が遮断された場合、２つのコンデンサに充電された電圧を放電できない。
【０００７】
２つのコンデンサに充電された電圧を放電するのに、特許文献３に記載の放電回路を採用するとしても、特許文献３におけるコンデンサを放電するための抵抗、トランジスタを、特許文献１，２における２つのコンデンサに対応して一対に設ける必要があり、回路規模や製造コストが上昇する。
【０００８】
そこで、本発明は、回路規模や製造コストの上昇を抑制した放電機能を有する放電機能付きバランス回路を提供することを目的とする。
【課題を解決するための手段】
【０００９】
本発明に係る放電機能付きバランス回路の第１の態様は、所定の第１電位（Ｖ１）が供給される第１の直流電源線（ＶＨ）と、前記所定の第１電位よりも低い第２電位（Ｖ２）が供給される第２の直流電源線（ＶＬ）と、前記第１の直流電源線と前記第２の直流電源線との間に接続された第１のコンデンサ（Ｃ１）と、前記第２の直流電源線側で前記第１のコンデンサと直列に接続された第２のコンデンサ（Ｃ２）と、前記第１のコンデンサを放電する第１の放電回路（２ａ）と、前記第２のコンデンサを放電する第２の放電回路（２ｂ）と、前記第１のコンデンサ及び前記第２のコンデンサの間の第３電位（Ｖ４）が所定値（Ｖ３）よりも小さいときに、前記第１の放電回路を用いて前記第１のコンデンサを放電し、前記第３電位が前記所定値よりも大きいときに、前記第２の放電回路を用いて前記第２のコンデンサを放電するバランス回路（２）と、前記所定の第１電位の供給が停止することを以って、前記第１の放電回路のみを用いて前記第１のコンデンサのみを放電する、若しくは前記第２の放電回路のみを用いて前記第２のコンデンサのみを放電する電源停止検出回路（３）とを備える。
【００１０】
本発明に係る放電機能付きバランス回路の第２の態様は、第１の態様に係る放電機能付きバランス回路であって、前記バランス回路（２）は、前記第１電位（Ｖ１）と前記第２電位（Ｖ２）を一定の比で内分した第４電位（Ｖ３）を前記所定値として供給する電位点（Ｐ）を備える。
【００１１】
本発明に係る放電機能つきバランス回路の第３の態様は、第２の態様に係る放電機能つきバランス回路であって、前記第２の放電回路（２ｂ）は、一端が前記第１のコンデンサ（Ｃ１）及び前記第２のコンデンサ（Ｃ２）との間に接続され、制御端端子が前記電位点（Ｐ）と接続された第２のトランジスタ（Ｔｒ２）を備え、前記バランス回路（２）は、前記第２のトランジスタの前記制御端子と前記電位点との間に接続され、前記第２のトランジスタから前記電位点へ向かう方向のみ電流を流す第２の整流素子（Ｄ６）を備え、前記電源停止検出回路（３）は前記第２のトランジスタを導通させて前記第２のコンデンサのみを放電させる。
【００１２】
本発明に係る放電機能つきバランス回路の第４の態様は、第２の態様に係る放電機能バランス回路であって、前記第１の放電回路（２ａ）は、一端が前記第１のコンデンサ（Ｃ１）及び前記第２のコンデンサ（Ｃ２）との間に接続され、制御端子が前記電位点（Ｐ）と接続された第１のトランジスタ（Ｔｒ１）を備え、前記バランス回路（２）は、前記第１のトランジスタの前記制御端子と前記電位点との間に接続され、前記電位点から前記第１のトランジスタへ向かう方向のみ電流を流す第１の整流素子（Ｄ５）を備え、前記電源停止検出回路（３）は前記第１のトランジスタを導通させて前記第１のコンデンサのみを放電させる。
【発明の効果】
【００１３】
本発明に係る放電機能付きバランス回路の第１の態様によれば第１電位の供給が停止した際に、第１のコンデンサを、バランス回路が用いる第１の放電回路を用いて放電する。当該放電により第１のコンデンサの両端電圧が低下し、この両端電圧の低下に伴って第３の電位が低下し、以ってバランス回路が第２の放電回路を用いて第２のコンデンサを放電する。よって、第１電位の供給が停止したときに、第１のコンデンサ及び前記第２のコンデンサを放電する専用の放電回路を設ける必要がなく、回路規模や製造コストを低減できる。
【００１４】
本発明に係る放電機能付きバランス回路の第２の態様によれば、第１の態様に係る放電機能付きバランス回路の実現に寄与する。
【００１５】
本発明に係る放電機能付きバランス回路の第３及び第４の態様によれば、第２の態様に係る放電機能付きバランス回路の実現に寄与する。
【発明を実施するための最良の形態】
【００１６】
（実施の形態）
本発明に係る実施の形態の放電機能付きバランス回路の一例の概念的な構成図を図１に示す。
【００１７】
本放電機能付きバランス回路は、直流電源線ＶＨ，ＶＬと、整流回路１と、コンデンサＣ１，Ｃ２と、放電回路２ａ，２ｂと、バランス回路２と、電源停止検出回路３とを備えている。
【００１８】
整流回路１は交流電源ＡＣから入力される交流を直流に整流して、直流電源線ＶＨには電位Ｖ１を、直流電源線ＶＬには電位Ｖ１よりも低い電位Ｖ２をそれぞれ供給する。なお、本実施の形態においては直流電源線ＶＬが一定の基準電位（例えば接地電位）と接続されているもの（つまり電位Ｖ２は実質的に一定）として説明する。
【００１９】
より具体的には、例えば整流回路１はダイオードＤ１〜Ｄ４を備えている。ダイオードＤ１，Ｄ３のカソードが直流電源線ＶＨと接続され、ダイオードＤ２，Ｄ４のアノードが直流電源線ＶＬと接続されている。ダイオードＤ１のアノード及びダイオードＤ２のカソードは共通して交流電源ＡＣの一端に接続され、ダイオードＤ３のアノード及びダイオードＤ４のカソードは共通して交流電源ＡＣの他端に接続されている。
【００２０】
なお、本実施の形態においては、交流電源ＡＣを単相交流電源として説明しているが、３相交流電源であってもよい。
【００２１】
コンデンサＣ１は直流電源線ＶＨ，ＶＬの間に接続されている。コンデンサＣ２は直流電源線ＶＬ側でコンデンサＣ１と直列に接続されている。コンデンサＣ１，Ｃ２の一組は整流回路１からの直流を平滑する。
【００２２】
放電回路２ａはコンデンサＣ１を放電し、放電回路２ｂはコンデンサＣ２を放電する。より具体的には、例えば放電回路２ａは抵抗Ｒ１と、ＮＰＮトランジスタＴｒ１とを備えており、例えば放電回路２ｂは抵抗Ｒ２と、ＰＮＰトランジスタＴｒ２とを備えている。
【００２３】
抵抗Ｒ１は一端が直流電源線ＶＨに接続され、他端がＮＰＮトランジスタＴｒ１のコレクタ電極と接続されている。抵抗Ｒ２は一端が直流電源線ＶＬに接続され、他端がＰＮＰトランジスタＴｒ２のコレクタ電極に接続されている。
【００２４】
ＮＰＮトランジスタＴｒ１、ＰＮＰトランジスタＴｒ２のエミッタ電極は共通して、コンデンサＣ１，Ｃ２の間に接続されている。
【００２５】
バランス回路２は、コンデンサＣ１，Ｃ２の間の電位Ｖ４が所定値よりも小さいときに、放電回路２ａを用いてコンデンサＣ１を放電し、当該電位Ｖ４が所定値よりも大きいときに放電回路２ｂを用いてコンデンサＣ２を放電して、コンデンサＣ１，Ｃ２の各両端電圧のバランスを維持する。なお、バランスを維持するとは、コンデンサＣ１，Ｃ２の各両端電圧を所望の範囲内に維持させることである。
【００２６】
より具体的には、例えばバランス回路２は抵抗Ｒ７，Ｒ８と、ダイオードＤ６と、電位点Ｐとを備えている。抵抗Ｒ７は一端が直流電源線ＶＨと、他端が電位点Ｐとそれぞれ接続されており，抵抗Ｒ８は一端が直流電源線ＶＬと、他端が電位点Ｐとそれぞれ接続されている。抵抗Ｒ７，Ｒ８の抵抗値をそれぞれｒ７、ｒ８とすると、電位点Ｐは、電位Ｖ１と電位Ｖ２を一定の比ｒ７：ｒ８で内分した電位Ｖ３を所定値として供給する。交流電源ＡＣからの交流が供給されているときは電位Ｖ１，Ｖ２は変動しないので、これらを一定の比で内分した電位Ｖ３は変動しない。
【００２７】
ダイオードＤ６はアノードがＰＮＰトランジスタＴｒ２のベース電極と、カソードが電位点Ｐとそれぞれ接続されている。ＮＰＮトランジスタＴｒ１のベース電極は電位点Ｐに接続されている。
【００２８】
電源停止検出回路３は、直流電源線ＶＨへの電位Ｖ１の供給が停止することを以って、放電回路２ｂのみを用いてコンデンサＣ２のみを放電させる。例えば図１に示すように、電源停止検出回路３は交流電源ＡＣの両端と、ＰＮＰトランジスタＴｒ２のベース電極及びダイオードＤ６のアノードの間と、に接続されている。
【００２９】
次に、本放電機能付きバランス回路における動作を、通常動作時におけるコンデンサＣ１，Ｃ２のバランス動作と、電源停止時におけるコンデンサＣ１，Ｃ２の放電動作とに大別して説明する。
【００３０】
まず、コンデンサＣ１，Ｃ２の各々の両端に印加される電圧のバランスを維持するバランス動作について図２，３を参照して説明する。図２はコンデンサＣ１の両端電圧が上昇したときの各電位Ｖ１〜Ｖ４の関係を示す図であり，図３はコンデンサＣ２の両端電圧が上昇したときの各電位Ｖ１〜Ｖ４の関係を示す図である。
【００３１】
例えばコンデンサＣ１，Ｃ２の製品ばらつき等に起因して、コンデンサＣ１の両端電圧が上昇したとき、コンデンサＣ１，Ｃ２の間の電位Ｖ４が低下する。
【００３２】
電位Ｖ３は変動しないので、この電位Ｖ４の低下に伴ってＮＰＮトランジスタＴｒ１のベース−エミッタ間の電圧ＶＢＥ１（＝Ｖ３−Ｖ４）が上昇し（図２参照）、所定の電圧を超えたときにＮＰＮトランジスタＴｒ１が導通する。
【００３３】
このＮＰＮトランジスタＴｒ１の導通により、コンデンサＣ１、抵抗Ｒ１、ＮＰＮトランジスタＴｒ１からなる直列回路が導通して、コンデンサＣ１が放電される。以上の内容から、バランス回路２はコンデンサＣ１，Ｃ２の間の電位Ｖ４が所定値（電位Ｖ３）を下回るときに放電回路２ａを用いてコンデンサＣ１を放電すると把握できる。
【００３４】
そして当該放電に伴ってコンデンサＣ１の両端電圧が低下して電位Ｖ４が上昇する。この電位Ｖ４の上昇に伴ってＮＰＮトランジスタＴｒ１の電圧ＶＢＥ１が低下し、所定の電圧を下回ったときにＮＰＮトランジスタＴｒ１が非導通となって、コンデンサＣ１の放電が止まる。
【００３５】
また、コンデンサＣ２の両端電圧が上昇したときは、電位Ｖ４が上昇する。電位Ｖ３は変動しないので、この電位Ｖ４の上昇に伴ってＰＮＰトランジスタＴｒ２のベース−エミッタ間の電圧ＶＢＥ２（＝Ｖ４−Ｖ３）が上昇し（図３参照）、所定の電圧を超えたときにＰＮＰトランジスタＴｒ２が導通する。なお、ダイオードＤ６はＰＮＰトランジスタＴｒ２のベース電極から電位点Ｐへ流れるベース電流を許可するので、バランス動作におけるこのＰＮＰトランジスタＴｒ２の動作を妨げない。
【００３６】
ＰＮＰトランジスタＴｒ２の導通により、コンデンサＣ２、抵抗Ｒ２、ＰＮＰトランジスタＴｒ２からなる直列回路が導通してコンデンサＣ２が放電される。以上の内容から、バランス回路２はコンデンサＣ１，Ｃ２の間の電位Ｖ４が所定値（電位Ｖ３）を超えるときに、放電回路２ｂを用いてコンデンサＣ２を放電すると把握できる。
【００３７】
そして、この放電に伴ってコンデンサＣ２の両端電圧が低下して電位Ｖ４が低下する。ＰＮＰトランジスタＴｒ２の電圧ＶＢＥ２が低下して所定の電圧を下回ったときにＰＮＰトランジスタＴｒ２が非導通となる。
【００３８】
以上のように、通常動作において、コンデンサＣ１，Ｃ２の何れか一方の両端電圧が上昇したときに、そのコンデンサを放電させて各両端電圧のバランスを維持することができる。
【００３９】
また電位Ｖ３，Ｖ４に注目すると、上述のバランス動作は、電位Ｖ３，Ｖ４が互いに等しくなるようにコンデンサＣ１，Ｃ２を放電しているとも把握できる。
【００４０】
次に、電源停止時におけるコンデンサＣ１，Ｃ２の放電動作について説明する。交流電源ＡＣからの交流の供給が停止されたときに、電源停止検出回路３は当該停止を検出してＰＮＰトランジスタＴｒ２のベース電極の電位を低下させる。この動作は、例えば電源停止検出回路３の内部のスイッチを導通させてＰＮＰトランジスタＴｒ２のベース電極をプルダウンさせることで実行することができる。交流電源ＡＣからの交流の供給が停止されると、電位Ｖ１の供給も停止されることになる。
【００４１】
ＰＮＰトランジスタＴｒ２のベース電極の電位の低下に伴って電圧ＶＢＥ２が上昇してＰＮＰトランジスタＴｒ２が導通する。当該導通によって、放電回路２ｂを介してコンデンサＣ２が放電される。
【００４２】
このときダイオードＤ６は電位点ＰとＰＮＰトランジスタＴｒ２のベース電極との間の電圧を支えるので、電位点Ｐの電位Ｖ３は、電源停止検出回路３によるＰＮＰトランジスタＴｒ２のベース電極の電位の低下について直接の影響を受けない。言い換えるなら、ダイオードＤ６は、電位Ｖ１，Ｖ２を一定の比で内分した電位Ｖ３における当該比の一定性を確保する。
【００４３】
そして、コンデンサＣ２の放電に伴って電位Ｖ４が低下すると共に電位Ｖ１も低下する。他方、コンデンサＣ１は放電されないのでコンデンサＣ１の両端電圧は変わらない。従って電位Ｖ１と電位Ｖ４の単位時間当たりの低下量は同一である。また、電位Ｖ１の低下に伴って電位Ｖ３も低下するが、電位Ｖ３は電位Ｖ１，Ｖ２を一定の比で内分した値であるので、電位Ｖ３の時間当たりの低下量は電位Ｖ４の時間当たりの低下量よりも小さい。
【００４４】
よって、電位Ｖ３，Ｖ４の電位差、つまりＮＰＮトランジスタＴｒ１の電圧ＶＢＥ１、が上昇してＮＰＮトランジスタＴｒ１が導通し、放電回路２ａを介してコンデンサＣ１が放電される。
【００４５】
その後は、ＰＮＰトランジスタＴｒ２が電源停止検出回路３によって導通されているのでコンデンサＣ２は放電され、バランス回路２によって電位Ｖ３，Ｖ４が互いに等しくなるようにコンデンサＣ１が放電される。
【００４６】
以上のように、通常動作時においてはコンデンサＣ１，Ｃ２の両端電圧のバランスを維持でき、電源停止時においてはコンデンサＣ１，Ｃ２を放電させることができる。
【００４７】
なお、抵抗Ｒ２、ＰＮＰトランジスタＴｒ２にはコンデンサＣ２からの放電電流が、抵抗Ｒ１、ＮＰＮトランジスタＴｒ１にはコンデンサＣ１からの放電電流がそれぞれ流れるため、これらは十分な電力容量を有する必要がある。このような抵抗Ｒ１，Ｒ２、ＮＰＮトランジスタＴｒ１、ＰＮＰトランジスタＴｒ２は一般に高価である。従ってコンデンサＣ１，Ｃ２に対応して一対の専用の放電回路を別途に設ける場合に比べて、電力容量の大きい高価な抵抗、トランジスタの数を増やす必要がないので、製造コストを低減することができ、また回路規模の観点でも低減できる。
【００４８】
なお、仮に本放電機能付きバランス回路にダイオードＤ６が設けられておらず、ＰＮＰトランジスタＴｒ２のベース電極と電位点Ｐが短絡されていると、電源停止検出回路３による当該ベース電極の電位の低下と共に電位Ｖ３が低下する。この場合、電位Ｖ３が電位Ｖ４よりも低くなるので、ＮＰＮトランジスタＴｒ１を導通させることができず、コンデンサＣ１を放電させることができない。
【００４９】
続いて、電源停止検出回路３の具体的な一例について説明する。図４は、電源停止検出回路３の具体的な一例を含めた放電機能付きバランス回路の概念的な構成図を示している。電源停止検出回路３以外の部分は図１に示す放電機能付きバランス回路と同一である。
【００５０】
電源停止検出回路３は、抵抗Ｒ５〜Ｒ６，Ｒ９と、コンデンサＣ３と、トランジスタＴｒ３，Ｔｒ４とを備えている。
【００５１】
抵抗Ｒ９、Ｒ５，Ｒ６は交流電源ＡＣの一端と直流電源線ＶＬとの間でこの順に直列接続されている。コンデンサＣ３は一端が抵抗Ｒ５，Ｒ９の間に、他端が直流電源線ＶＬにそれぞれ接続されている。
【００５２】
抵抗Ｒ４とトランジスタＴｒ４は直流電源線ＶＨ，ＶＬの間でこの順に直列接続され、トランジスタＴｒ４のベース電極が抵抗Ｒ５，Ｒ６の間に接続されている。
【００５３】
抵抗Ｒ３とトランジスタＴｒ３は、ＰＮＰトランジスタＴｒ２のベース電極と直流電源線ＶＬとの間でこの順に直列接続され、トランジスタＴｒ３のベース電極が抵抗Ｒ４とトランジスタＴｒ４との間に接続されている。
【００５４】
このような構成の電源停止検出回路３において、コンデンサＣ３はダイオードＤ４を介して交流電源ＡＣと直列に接続されているので、交流電源ＡＣの半周期において充電され、他の半周期においては抵抗Ｒ５，Ｒ６を介して放電する。そして、交流電源ＡＣからの交流の供給が停止されると、コンデンサＣ３は充電されることなく放電を維持する。すると、抵抗Ｒ５，Ｒ６の間の電位が低下し、トランジスタＴｒ４が非導通となって、抵抗Ｒ４を介して直流電源線ＶＬと接続されたトランジスタＴｒ３のベース電極の電位が上昇して、トランジスタＴｒ３が導通する。
【００５５】
よって、抵抗Ｒ３、トランジスタＴｒ３を介してＰＮＰトランジスタＴｒ２のベース電流を流すことができる。これによってＰＮＰトランジスタＴｒ２が導通し、電位Ｖ４を低下させることができる。
【００５６】
そして、上述したように放電回路２ｂによりコンデンサＣ２が放電回路２ａによりコンデンサＣ１が放電される。
【００５７】
図５は図４に示す放電機能付きバランス回路におけるコンデンサＣ１，Ｃ２の一組の両端電圧（直流電源線ＶＨ，ＶＬの間の電圧）の一例を示している。図５を参照して、時刻５秒付近で交流電源ＡＣからの交流の供給を停止するまでは、当該電圧は２７０Ｖに維持されていたが、交流電源ＡＣからの交流の供給が停止された後は、時刻９０秒付近で当該電圧が３０Ｖ以下まで低減されている。以上のように、本実施の形態にかかる放電機能付きバランス回路によれば、電源停止から３分以内で７５Ｖ以下という一つの放電基準を達成することができる。
【００５８】
なお、交流電源ＡＣからの交流の供給を停止してからコンデンサＣ１，Ｃ２の一組の両端電圧が所定の基準値（例えば７５Ｖ）を下回るのに要する時間を、基準時間（例えば3分）に近づけてもよい。この場合、抵抗Ｒ１、Ｒ２、ＮＰＮトランジスタＴｒ１、ＰＮＰトランジスタＴｒ２に必要な電力容量を低減できるので、回路規模や製造コストを低減できる。
【００５９】
（変形例）
変形例に係る放電機能付きバランス回路の概念的な構成図を図６に示す。実施の形態との相違点のみを説明することで変形例に係る放電機能付きバランス回路について説明する。
【００６０】
本放電機能付きバランス回路には、ダイオードＤ６の代わりにダイオードＤ５が設けられている。ダイオードＤ５は、アノードが電位点Ｐに、カソードがＮＰＮトランジスタＴｒ１のベース電極にそれぞれ接続されている。
【００６１】
また電源停止検出回路３は、直流電源線ＶＨへの電位Ｖ１の供給が停止することを以って、放電回路２ａのみを用いてコンデンサＣ１のみを放電させる。例えば図６に示すように、電源停止検出回路３は交流電源ＡＣの両端と、ＮＰＮトランジスタＴｒ１のベース電極及びダイオードＤ５のカソードの間と、に接続されている。
【００６２】
このような構成の放電機能付きバランス回路において、通常動作時におけるコンデンサＣ１，Ｃ２のバランス動作では、ダイオードＤ６及び電源停止検出回路３は特別な機能を果たさない。よって、実施の形態に係る放電機能付きバランス回路の動作と同一であるため、詳細な説明を省略する。
【００６３】
次に、電源停止時におけるコンデンサＣ１，Ｃ２の放電動作について説明する。交流電源ＡＣからの交流の供給が停止されたときに、電源停止検出回路３は当該停止を検出してＮＰＮトランジスタＴｒ１のベース電極の電位を上昇させる。この動作は、例えば電源停止検出回路３の内部のスイッチを導通させてＮＰＮトランジスタＴｒ２のベース電極をプルアップさせることで実行することができる。交流電源ＡＣからの交流の供給が停止されると、電位Ｖ１の供給も停止されることになる。
【００６４】
ＮＰＮトランジスタＴｒ１のベース電極の電位の上昇に伴って電圧ＶＢＥ１が上昇してＮＰＮトランジスタＴｒ１が導通する。当該導通によって、放電回路２ａを介してコンデンサＣ１が放電される。
【００６５】
このときダイオードＤ５は電位点ＰとＮＰＮトランジスタＴｒ１のベース電極との間の電圧を支えるので、電位点Ｐの電位Ｖ３は、電源停止検出回路３によるＮＰＮトランジスタＴｒ１のベース電極の電位の上昇について直接の影響を受けない。言い換えるなら、ダイオードＤ５は、電位Ｖ１，Ｖ２を一定の比で内分した電位Ｖ３における当該比の一定性を確保する。
【００６６】
そして、コンデンサＣ１の放電に伴って電位Ｖ１が低下する。このとき、コンデンサＣ２は放電されないのでコンデンサＣ２の両端電圧は変わらず、電位Ｖ４は変動しない。また、電位Ｖ３は電位Ｖ１，Ｖ２を一定の比で内分した値であるので、電位Ｖ１の低下に伴って電位Ｖ３は低下する。
【００６７】
よって、ＰＮＰトランジスタＴｒ２の電圧ＶＢＥ２が上昇してＰＮＰトランジスタＴｒ２が導通し、放電回路２ｂを介してコンデンサＣ２が放電される。
【００６８】
その後は、ＮＰＮトランジスタＴｒ１が電源停止検出回路３によって導通されているのでコンデンサＣ１は放電され、バランス回路２によって電位Ｖ３，Ｖ４が互いに等しくなるようにコンデンサＣ２が放電される。
【００６９】
以上のように、通常動作時においてはコンデンサＣ１，Ｃ２の両端電圧のバランスを維持でき、電源停止時においてはコンデンサＣ１，Ｃ２を放電させることができる。
【図面の簡単な説明】
【００７０】
【図１】実施の形態に係る放電機能付きバランス回路の概念的な構成図である。
【図２】コンデンサＣ１の両端電圧が上昇したときの各電位Ｖ１〜Ｖ４の関係を示す図である。
【図３】コンデンサＣ２の両端電圧が上昇したときの各電位Ｖ１〜Ｖ４の関係を示す図である。
【図４】実施の形態に係る放電機能付きバランス回路の概念的な構成図である。
【図５】コンデンサＣ１，Ｃ２の一組の両端電圧を示すグラフである。
【図６】変形例に係る放電機能付きバランス回路の概念的な構成図である。
【符号の説明】
【００７１】
２  バランス回路
２ａ，２ｂ  放電回路
３  電源停止検出回路
Ｄ５，Ｄ６  ダイオード
Ｐ  電位点
Ｔｒ１  ＮＰＮトランジスタ
Ｔｒ２  ＰＮＰトランジスタ
Ｖ１〜Ｖ４  電位
【図１】
2008301623.tif 000003
【図２】
2008301623.tif 000004
【図３】
2008301623.tif 000005
【図４】
2008301623.tif 000006
【図５】
2008301623.tif 000007
【図６】
2008301623.tif 000008